(57)【要約】【課題】文字認識結果の大量のファイルの中から訂正すべきファイルを容易に見付け出せるようにする。【解決手段】この文字読取装置は、帳票の文字認識結果のファイルの保管場所を、帳票の種別毎に階層的に分類し保存したデータベース６と、帳票イメージおよび文字認識結果のファイルを一意に特定するＳｅｑ番号に対応付けて、文字認識結果の文字コード変換状況を示す情報と、帳票がデータベース６のどの場所に分類および保存されているかを示すバッチ番号を記憶する帳票管理テーブル６７と、この帳票管理テーブル６７のバッチ番号と帳票番号を基に、訂正画面に、データベース６の階層構造をファイルおよびフォルダのツリー構造で示すしおりウィンドウを表示し、文字認識不能文字を示す「？」が付与されたファイルとこの上位のフォルダを赤色で表示する訂正処理部８とを備える。【選択図】図１
2006106905.tif 000002
【特許請求の範囲】
【請求項１】
帳票をイメージスキャンして得た帳票イメージとこの帳票イメージから文字認識して得た文字認識結果のファイルの保管場所を、帳票の種別毎に階層的に分類し保存した保存手段と、
帳票、帳票イメージおよび文字認識結果のファイルを一意に特定する帳票番号に対応付けて、文字認識結果の文字コード変換状況を示す情報と、帳票が前記保存手段の階層構造の中でどの場所に分類および保存されているかを示すバッチ番号とを記憶する帳票情報記憶手段と、
前記帳票情報記憶手段のバッチ番号と帳票番号を基に、文字認識結果のファイルの内容を訂正するための画面に、前記保存手段の階層構造をファイルおよびフォルダのツリー構造で示すウィンドウを表示すると共に、文字認識時に文字認識不可能のため所定の文字コードが付与されたファイルとこのファイルの上位に位置する階層のフォルダに、正常な文字認識結果のファイルおよびフォルダとは視覚的に異なる表示を行う訂正処理手段と
を具備したことを特徴とする文字読取装置。
【請求項２】
帳票をイメージスキャンして得た帳票イメージとこの帳票イメージから文字認識して得た文字認識結果のファイルの保管場所を、帳票の種別毎に階層的に分類し保存した保存手段と、
帳票、帳票イメージおよび文字認識結果のファイルを一意に特定する帳票番号に対応付けて、文字認識結果の文字コード変換状況を示す情報と、帳票が前記保存手段の階層構造の中でどの場所に分類および保存されているかを示すバッチ番号とを記憶する帳票情報記憶手段と、
前記帳票情報記憶手段のバッチ番号と帳票番号を基に、文字認識結果のファイルの内容を訂正するための画面に、前記保存手段に保存されているファイルを縮小表示するウィンドウを表示すると共に、文字認識時に文字認識不可能のため所定の文字コードが付与されたファイルと正常な文字認識結果を得たファイルとで視覚的に異なる表示を行う訂正処理手段と
を具備したことを特徴とする文字読取装置。
【請求項３】
帳票をイメージスキャンして得た帳票イメージとこの帳票イメージから文字認識して得た文字認識結果のファイルの保管場所を、帳票の種別毎に階層的に分類し保存した保存手段と、
帳票、帳票イメージおよび文字認識結果のファイルを一意に特定する帳票番号に対応付けて、文字認識結果の文字コード変換状況を示す情報と、帳票が前記保存手段の階層構造の中でどの場所に分類および保存されているかを示すバッチ番号とを記憶する帳票情報記憶手段と、
前記帳票情報記憶手段のバッチ番号と帳票番号を基に、文字認識結果のファイルの内容を訂正するための訂正画面を表示する訂正画面表示手段と、
前記訂正画面において、前記保存手段の階層構造をファイルおよびフォルダのツリー構造で示すウィンドウを表示すると共に、文字認識時に文字認識不可能のため所定の文字コードが付与されたファイルとこのファイルの上位に位置する階層のフォルダに、正常な文字認識結果のファイルおよびフォルダとは視覚的に異なる表示を行う第１の保存場所表示手段と、
前記訂正画面において、文字認識時に文字認識不可能のため所定の文字コードが付与されたファイルと正常な文字認識結果のファイルとを視覚的に異なる縮小表示を行うウィンドウを表示する第２の保存場所表示手段と、
前記第１の保存場所表示手段によるウィンドウ表示と第２の保存場所表示手段によるウインドウ表示とを、ユーザの操作に応じて切り替える表示切替手段と
を具備したことを特徴とする文字読取装置。
【発明の詳細な説明】
【技術分野】
【０００１】
本発明は、例えば多数の帳票に対して帳票イメージの読み取り、文字認識、文字認識結果の保存という処理を次々に繰り返した後に、保存した多数の文字認識結果をバッチ処理で訂正する文字読取装置に関する。
【背景技術】
【０００２】
近年、手書きされた帳票をイメージスキャナで読み取り文字認識を行う文字読取装置は、文字認識精度が向上したとは言え、文字認識率は１００パーセントではなく、大量の帳票を扱う業務では、読取元の帳票や帳票イメージと文字認識結果のテキストデータとを一度保存しておいた後、これらのデータをバッチ処理で比較してデータを個々に訂正することが行われている。
手書き帳票を読み取って得た文字を訂正する際の先行技術としては、例えば文字認識結果を認識不能文字の位置と共に表示しその位置が表示される認識不能文字についての訂正文字を入力する手段を備えた文字読取装置が開示されている（例えば特許文献１参照）。
【特許文献１】特開２００１−７６０９２号公報
【発明の開示】
【発明が解決しようとする課題】
【０００３】
しかしながら、上記先行技術の場合、大量の文字認識結果のファイルの中で、訂正対象のファイルの保存場所が予め判っているものについては訂正を容易に行えるものの、正しい文字認識結果とそうでないものとが混在する中から、訂正対象のファイルを見つけ出して訂正することは容易ではなく、労力がかかるという問題があった。
【０００４】
本発明はこのような課題を解決するためになされたもので、文字認識結果の大量のファイルの中から、訂正対象のファイルを容易に見つけ出して訂正することのできる文字読取装置を提供することを目的としている。
【課題を解決するための手段】
【０００５】
上記した目的を達成するために、本発明の文字読取装置は、帳票をイメージスキャンして得た帳票イメージとこの帳票イメージから文字認識して得た文字認識結果のファイルの保管場所を、帳票の種別毎に階層的に分類し保存した保存手段と、帳票、帳票イメージおよび文字認識結果のファイルを一意に特定する帳票番号に対応付けて、文字認識結果の文字コード変換状況を示す情報と、帳票が前記保存手段の階層構造の中でどの場所に分類および保存されているかを示すバッチ番号とを記憶する帳票情報記憶手段と、前記帳票情報記憶手段のバッチ番号と帳票番号を基に、文字認識結果のファイルの内容を訂正するための画面に、前記保存手段の階層構造をファイルおよびフォルダのツリー構造で示すウィンドウを表示すると共に、文字認識時に文字認識不可能のため所定の文字コードが付与されたファイルとこのファイルの上位に位置する階層のフォルダに、正常な文字認識結果のファイルおよびフォルダとは視覚的に異なる表示を行う訂正処理手段とを具備したことを特徴とする。
【０００６】
本発明の文字読取装置は、帳票をイメージスキャンして得た帳票イメージとこの帳票イメージから文字認識して得た文字認識結果のファイルの保管場所を、帳票の種別毎に階層的に分類し保存した保存手段と、帳票、帳票イメージおよび文字認識結果のファイルを一意に特定する帳票番号に対応付けて、文字認識結果の文字コード変換状況を示す情報と、帳票が前記保存手段の階層構造の中でどの場所に分類および保存されているかを示すバッチ番号とを記憶する帳票情報記憶手段と、前記帳票情報記憶手段のバッチ番号と帳票番号を基に、文字認識結果のファイルの内容を訂正するための画面に、前記保存手段に保存されているファイルを縮小表示するウィンドウを表示すると共に、文字認識時に文字認識不可能のため所定の文字コードが付与されたファイルと正常な文字認識結果を得たファイルとで視覚的に異なる表示を行う訂正処理手段とを具備したことを特徴とする。
【０００７】
本発明の文字読取装置は、帳票をイメージスキャンして得た帳票イメージとこの帳票イメージから文字認識して得た文字認識結果のファイルの保管場所を、帳票の種別毎に階層的に分類し保存した保存手段と、帳票、帳票イメージおよび文字認識結果のファイルを一意に特定する帳票番号に対応付けて、文字認識結果の文字コード変換状況を示す情報と、帳票が前記保存手段の階層構造の中でどの場所に分類および保存されているかを示すバッチ番号とを記憶する帳票情報記憶手段と、前記帳票情報記憶手段のバッチ番号と帳票番号を基に、文字認識結果のファイルの内容を訂正するための訂正画面を表示する訂正画面表示手段と、前記訂正画面において、前記保存手段の階層構造をファイルおよびフォルダのツリー構造で示すウィンドウを表示すると共に、文字認識時に文字認識不可能のため所定の文字コードが付与されたファイルとこのファイルの上位に位置する階層のフォルダに、正常な文字認識結果のファイルおよびフォルダとは視覚的に異なる表示を行う第１の保存場所表示手段と、前記訂正画面において、文字認識時に文字認識不可能のため所定の文字コードが付与されたファイルと正常な文字認識結果のファイルとを視覚的に異なる縮小表示を行う第２の保存場所表示手段と、前記第１の保存場所表示手段によるウィンドウ表示と第２の保存場所表示手段によるウインドウ表示とを、ユーザの操作に応じて切り替える表示切替手段とを具備したことを特徴とする。
【０００８】
本発明では、帳票情報記憶手段のバッチ番号と帳票番号を基に、文字認識結果のファイルの内容を訂正するための画面に、前記保存手段の階層構造をファイルおよびフォルダのツリー構造で示すウィンドウ、あるいは保存手段に保存されているファイルを縮小表示するウインドウを表示すると共に、文字認識時に文字認識不可能のため所定の文字コードが付与されたファイルとこのファイルの上位に位置する階層のフォルダに、正常な文字認識結果のファイルおよびフォルダとは視覚的に異なる表示を行うので、文字認識結果として保存されている大量のファイルの中から、訂正すべきファイルを容易に見つけ出すことができる。
【発明の効果】
【０００９】
以上説明したように本発明によれば、文字認識結果の大量のファイルの中から、訂正対象のファイルを容易に見つけ出して訂正することができる。
【発明を実施するための最良の形態】
【００１０】
以下、本発明の実施の形態を図面を参照して詳細に説明する。図１は本発明に係る一つの実施形態の文字読取装置の構成を示すブロック図である。
【００１１】
図１に示すように、この文字読取装置は、入力部１、メモリ２、文字領域処理部３、文字認識部４、辞書５、データベース６、印字部７、訂正処理部８、表示部９を備えている。入力部１は、例えばイメージスキャナとそのインターフェース等のハードウェアと、入力された画像データを取り込むためのソフトウェア等からなる帳票イメージ読取手段と、帳票に関するデータを入力するキーボード、マウス等のユーザ操作を受け付ける手段とを含むものである。
文字領域処理部３、文字認識部４、辞書５、データベース６、印字部７、訂正処理部８、制御部１０等は、コンピュータのＣＰＵ、メモリ、ハードディスク装置等のハードウェア、オペレーティングシステム（以下ＯＳと称す）および制御ソフトウェア等が協働して実現されるものである。
【００１２】
入力部１では、例えば読取台にセットされた、文字の記入された帳票の表面をイメージスキャナがイメージスキャン、つまり画像を読み取って帳票イメージを取得し、メモリ２に記憶する。
【００１３】
メモリ２は、入力部１より入力された帳票イメージを記憶し、文字領域の切り出し等の加工処理を行う作業エリアである。このメモリ２に記憶された帳票イメージは、制御部１０により制御された文字領域処理部３がメモリ２上で加工処理を行う。
【００１４】
文字領域処理部３は、制御部１０に制御されて、メモリ２に記憶された帳票イメージに対して予め自身に設定された文字レイアウト情報（印字定義）を基に、帳票イメージのどの位置にどのように文字データが配置されているかのレイアウト解析を行い、文字列が含まれる領域（以下文字領域と称す）を切り出す処理を行う。
【００１５】
辞書５には、文字認識結果として出力される文字コードとこの文字コードに対応する文字画像（文字イメージ）が対応して格納されている。
【００１６】
文字認識部４は、文字領域処理部３によって切り出された文字領域に対して辞書５を参照して文字認識処理を実行し、文字認識結果として文字コードを得る。
【００１７】
印字部７は、イメージスキャナで読み取った帳票に対して帳票１枚１枚を識別（特定）するための帳票通し番号（以下Ｓｅｑ番号という）を印字する。Ｓｅｑ番号は、制御部１０が新規帳票読取の際にメモリ２上でカウントし印字部７に与える。この他、帳票には、帳票の種類を識別するための帳票ＩＤが予め印刷されている。帳票ＩＤは、レイアウト解析の際に文字領域処理部３によって利用される。
【００１８】
データベース６には、バッチ管理テーブル６５、子バッチ管理テーブル６６、帳票情報記憶手段としての帳票管理テーブル６７、入力部１より入力された認識元の帳票イメージ６１、文字認識結果のテキストデータ６２が記憶されている。
【００１９】
データベース６には、バッチ単位あるいは帳票の種別毎に階層化されたフォルダ６４とそのフォルダ６４の下層に分類されたフォルダ６３が設けられている。帳票イメージ６１及び文字認識結果のテキストデータ６２は、１帳票単位に作成されたフォルダ６３にファイリングされている。
すなわち、データベース６は、帳票をイメージスキャンして得た帳票イメージとこの帳票イメージから文字認識して得た文字認識結果のファイルの保管場所を、帳票の種別毎に階層的に分類し保存した保存手段である。
【００２０】
具体的には、例えば金融機関等の場合の支店毎に集計センタに収集される各種伝票（振込、住所変更、解約等）の場合に、個々の支店の単位がバッチ単位にあたり、伝票の種別がフォルダの単位にあたり、１枚１枚の伝票がファイルの単位にあたる。
【００２１】
訂正処理部８は、文字認識結果のファイルの内容を訂正するための画面である訂正画面（図６、図７参照）を表示部９へ出力し、訂正画面の訂正欄に、入力部１よりキー入力された文字で、文字認識結果を訂正し、データベース６の内容を更新する。
訂正処理部８によって表示される訂正画面（図６、図７参照）には、文字認識結果の適すデータを訂正するための訂正ウィンドウとファイルやフォルダを表示するウィンドウ（「しおりウィンドウ」、「ページウィンドウ」）とが並べて表示される。ファイルやフォルダを表示するウィンドウの「しおりウィンドウ」と「ページウィンドウ」は、タブの選択操作によって切り替えて表示することができる。
【００２２】
タブの選択操作によって「しおりウィンドウ」が選択され場合、訂正処理部８は、データベース６の保存場所の階層構造をファイルおよびフォルダのツリー構造で示すウィンドウを表示すると共に、文字認識時に文字認識不可能のため所定の文字コード（？等）が付与されたファイルとこのファイルの上位に位置する階層のフォルダに、正常な文字認識結果のファイルおよびフォルダとは視覚的に異なる表示を行う第１の保存場所表示手段として機能する。
【００２３】
タブの選択操作によって「ページウィンドウ」が選択された場合、訂正処理部８は、文字認識時に文字認識不可能のため所定の文字コード「？」が付与されたファイルと正常な文字認識結果のファイルとを視覚的に異なる縮小表示を行うページウインドウを表示する第２の保存場所表示手段として機能する。
表示部９は、訂正処理部８から出力された訂正画面等を表示するモニタ等である。
【００２４】
図２に示すように、バッチ管理テーブル６５には、帳票を支店毎および帳票種類毎に管理するためのバッチ番号、先頭帳票通番、最終帳票通番、子バッチ数、帳票枚数、リジェクト枚数、リジェクト文字数等が記憶されている。バッチ番号が例えば支店に相当し、子バッチ数が帳票の種類に相当し、帳票枚数が同じ種類の帳票数である。リジェクト枚数は帳票枚数のうち、一つでもリジェクト文字数がカウントされた帳票がカウントされる。リジェクト文字数は、一枚の帳票の帳票イメージから文字領域を切り出して文字認識したときに、文字領域内に文字認識不可能となった文字があったときに文字コードとして「？」が付与されてカウントされる。
【００２５】
図３に示すように、子バッチ管理テーブル６６には、帳票を子バッチの単位で管理するためのバッチ番号、子バッチ番号、先頭帳票通番、最終帳票通番、帳票枚数、リジェクト枚数、リジェクト文字数等が記憶されている。各項目の内容は上記バッチ管理テーブル６５とほぼ同じである。
【００２６】
図４に示すように、帳票管理テーブル６７は、帳票、帳票イメージおよび文字認識結果のファイルを一意に特定する帳票番号であるＳｅｑ番号に対応付けて、バッチ番号、子バッチ番号、帳票ＩＤ、リジェクト文字数が記憶されている。
【００２７】
バッチ番号および子バッチ番号は、データベース６の階層化された記憶場所の中で帳票イメージ及び文字認識結果のファイルがどの場所に分類および保存されているかを示している。帳票ＩＤは、帳票の種類を識別するための固有番号である。リジェクト文字数は、文字認識結果の文字コード変換状況を示す情報であり、リジェクト文字数に数値が入っていた場合は、文字認識時に文字認識不可能のため所定の文字コード、例えば「？」等が付与されていることを示している。
すなわち、この帳票管理テーブル６７は、帳票、帳票イメージおよび文字認識結果のファイルを一意に特定するＳｅｑ番号に対応付けて、文字認識結果の文字コード変換状況を示す情報と、帳票が前記データベース６の階層構造の中でどの場所に分類および保存されているかを示すバッチ番号とを記憶する帳票情報記憶手段である。
【００２８】
訂正処理部８は、帳票管理テーブル６７のバッチ番号と帳票番号を基に、訂正画面に、データベース６の階層構造をファイルおよびフォルダのツリー構造で示すしおりウィンドウ（図６）を表示すると共に、文字認識時に文字認識不可能のため所定の文字コード（？等）が付与されたファイルとこのファイルの上位に位置する階層のフォルダに、正常な文字認識結果のファイルおよびフォルダとは視覚的に異なる表示を行う訂正処理手段として機能する。
訂正処理部８は、帳票管理テーブル６７のバッチ番号と帳票番号を基に、訂正画面に、データベース６に保存されているファイルを縮小表示するページウィンドウ（図７）を表示すると共に、文字認識時に文字認識不可能のため所定の文字コード「？」が付与されたファイルに、正常な文字認識結果のファイルとは視覚的に異なる表示を行う訂正処理手段として機能する。
視覚的に異なる表示とは、例えば？等が付与されたファイルとフォルダを赤色で表示する等である。
【００２９】
以下、図５乃至図７を参照してこの文字読取装置の動作を説明する。
図５はこの文字読取装置の動作を示すフローチャート、図６、図７は訂正画面のタブ毎のウィンドウの一例を示す図である。
【００３０】
この場合、読取台に帳票がセットされ、入力部１に帳票ＩＤがキー入力され、読取スタートボタンが押されると、入力部１は、帳票の読み取りが始めてであれば、バッチ番号をメモリ２に設定し（Ｓ１０１）、続いて帳票通番であるＳｅｑ番号をメモリ２に設定し（Ｓ１０２）、ＣＣＤセンサ等を駆動して帳票の表面をイメージスキャンすることで、帳票の画像データである帳票イメージをメモリ２に取り込む（Ｓ１０３）。
【００３１】
帳票イメージがメモリ２に取り込まれると、文字領域処理部３は、メモリ２に記憶された帳票イメージに対して、帳票ＩＤに該当する文字レイアウト情報を用いて帳票上の文字のレイアウトを解析し（Ｓ１０４）、初めの文字領域を切り出し（Ｓ１０５）、メモリ２に展開する。
【００３２】
文字認識部４は、メモリ２に展開されている文字領域について辞書５の文字イメージとのイメージマッチングによる文字認識を行い（Ｓ１０６）、一致あるいは類似する文字イメージに対応する文字コードを辞書５より読み出して文字認識結果とする。なお、入力部１から帳票ＩＤがキー入力されない場合は、初めの文字領域は、帳票ＩＤが記入された文字領域であり、文字認識部４は、初めの文字領域を文字認識して、帳票の種類を特定し、文字レイアウト情報を得る。
【００３３】
文字認識の結果、一致あるいは類似する文字イメージが辞書５に存在せず、文字認識が不可能であった場合、文字認識部４は、リジェクト文字として、「？」を付与し、リジェクト文字ありとし（Ｓ１０７のＹｅｓ）、バッチ管理テーブル６５、子バッチ管理テーブル６６、帳票管理テーブル６７のリジェクト文字数の欄にリジェクト文字を計数、つまりプラス１する（Ｓ１０８）。
【００３４】
そして、文字認識部４は、文字レイアウト情報に従ってメモリ２の帳票イメージから文字領域を順に切り出して文字認識を繰り返し（Ｓ１０５〜Ｓ１０９）、文字認識すべき文字領域がなくなると、バッチ管理テーブル６５、子バッチ管理テーブル６６の帳票枚数の欄に枚数を計数、つまりプラス１すると共に、１つの帳票イメージの中で、文字認識結果として「？」が付与された文字が１つでもあった場合にリジェクト枚数の欄にリジェクト枚数を計数、つまりプラス１する（Ｓ１１０）。なお、１つの帳票イメージの中で、「？」が付与された文字が１つもない場合は、リジェクト枚数は、加算されない。
【００３５】
１枚の帳票の文字読取処理が終了すると、制御部１０は、メモリ２に記憶されている文字認識結果のテキストファイルと帳票イメージとを、バッチ番号および子バッチ番号に基づいてデータベース６に生成した保存場所であるフォルダへ保存する（Ｓ１１１）。なお、ＯＳ環境の違いにより保存場所をディレクトリという場合もある。
【００３６】
また、制御部１０は、１枚の帳票の文字読取処理が終了すると、印字部７に対してＳｅｑ番号を与えて印字を指示し、印字部７は、帳票の一方の面にＳｅｑ番号を印字して（Ｓ１１２）、帳票を排出する。
【００３７】
そして、制御部１０は、Ｓ１０２の処理に戻り、次の帳票について上記Ｓ１０２〜Ｓ１１３までの処理を繰り返し、同じバッチ番号の次の帳票があるかどうかを判定し（Ｓ１１３）、同じバッチ番号の次の帳票がなくなると（Ｓ１１３のＮｏ）、制御部１０は、Ｓ１０１の処理に戻り、次のバッチ番号の帳票処理を行う。
【００３８】
次に、読み取ったテキストデータの訂正処理について説明する。
データベース６に保存したテキストデータを訂正する場合、文字認識結果のテキストデータだけでなく、認識元の帳票の記載内容を見て比較する必要があるが、実際の帳票は別に処理が進められることがあるため、文字認識結果のテキストデータと認識元の帳票イメージとを表示させる訂正画面を表示することになる。
【００３９】
この場合、データがバッチ処理でデータベース６に保存されているため、訂正作業者は、大量に読取処理された中から、訂正が必要なテキストデータをデータベース６から見つけ出して訂正を行う必要がある。
【００４０】
そこで、この文字読取装置では、入力部１から訂正処理部８を起動する操作を行うことで、訂正処理部８は、図６に示すような訂正画面（図６，図７参照）を表示する。
訂正画面は、文字認識結果のファイルの内容を訂正するための画面であり、図６に示すように、しおりウィンドウと訂正ウィンドウとが並べられて表示される。訂正ウィンドウには文字認識結果を訂正するため欄が設けられており、しおりウィンドウで指定されたファイルの内容が表示されれ。
【００４１】
しおりウィンドウは、データベース６の文字認識結果のファイルが保存されているフォルダの階層構造をファイルおよびフォルダの親子関係を線で連結したツリー構造で示すウィンドウである。各ファイルおよびフォルダの中には、帳票ＩＤが表示されている。
【００４２】
帳票ＩＤは帳票の種類を識別するためのものであり、例えば帳票ＩＤ「１００、２００…」は、合計が記述された帳票、帳票ＩＤ「１１０、１２０…」は、小計が記述された帳票、帳票ＩＤ「１１１，１１２，１１３…」は、詳細が記述された帳票等というように階層が分けられている。階層化されているファイルおよびフォルダは、折りたたむことができる。つまり、上位のフォルダの中に下位のフォルダおよびファイルをしまうことができる。
【００４３】
しおりウィンドウに表示されるファイルおよびフォルダのうち、文字認識時に文字認識不可能のため所定の文字コード「？」が付与されたファイル４３，４４とこれらのファイル４３，４４の上位に位置する階層のフォルダ４２，４１は、例えば赤色で表示（図では斜線表示）され、正常な文字認識結果のファイルおよびフォルダは、通常、黄色（図では白抜き）で表示され、互いのファイルおよびフォルダは、視覚的に異なる表示が行われる。
【００４４】
しおりウィンドウに表示されたファイルおよびフォルダのうち、赤色のフォルダを開いて、その中の所望のファイル、例えばファイル４３等の位置にポインタ４５を移動させてマウスでクリック操作（選択操作）すると、訂正処理部８は、該当ファイル４３の内容、つまり、データベース６の文字認識結果のテキストファイルの内容を訂正ウィンドウの該当欄に表示する。
【００４５】
この訂正ウィンドウの少なくとも１つの欄、例えば数量欄４０等には「？」が挿入されているので、その数量欄４０の「？」に対する読取元帳票の記入欄の該当箇所の文字を訂正作業者が目視で確かめ、その欄に正して文字（テキストコード）をキー入力することで、文字認識時に文字認識不可能だった文字を正しい文字に訂正することができる。
なお、読取元帳票としては、データベース６に、文字認識結果のテキストファイルに対応させて帳票イメージが保存されているので、紙の帳票自体を使わずに、データベース６の帳票イメージを指定して画面にホップアップ表示させる等して、確認してもよい。
【００４６】
しおりウィンドウには、タブ４６，４７が設けられている。これらのタブ４６，４７のうち、タブ４７の位置にポインタ４５を移動させてマウスでクリック操作（選択操作）すると、訂正処理部８は、訂正画面を切り替え、図７に示すように、ページウィンドウと訂正ウィンドウとを並べた訂正画面を表示する。
【００４７】
図７に示すように、この訂正画面のページウィンドウには、データベース６に保存されている文字認識結果のファイルのサムネイルが一覧表示される。この例の場合、サムネイルは、縦に一列に表示されている。各サムネイルの下部には、それぞれのＳｅｑ番号が表示される。Ｓｅｑ番号により読み取り元の帳票を特定できる。
【００４８】
上記同様に、文字認識結果のファイルの中には、文字認識時に文字認識不可能のため「？」が付与されたファイルと、すべて文字認識することができたファイルがある。「？」が付与されたファイルのサムネイル５１は、赤色で表示され、すべて文字認識することができたファイルとは視覚的に異なる表示がなされる。
【００４９】
この訂正画面において、所望のサムネイル、例えばサムネイル５１等の位置にポインタ４５を移動させると、訂正処理部８は、そのファイルのＳｅｑ番号と帳票ＩＤをホップアップ表示画面５２に表示し、ポインタ４５をサムネイル５１の位置から外すと、ホップアップ表示画面５２を非表示にする。なお、Ｓｅｑ番号と帳票ＩＤだけでなく、支店コード等のキーワードを表示しても良い。
【００５０】
通常であれば、ホップアップ表示画面５２等のサブ画面を表示するには、ポインタの移動、マウスボタンのクリック操作という最低２つの操作が必要であり、サブ画面を消す際にも消す操作が必要であったため、訂正作業の際の画面操作回数を少なくすることができる。これは、訂正だけを集中的に行う連続作業では作業時間の削減に大きな効果となる。
また、この訂正画面から、タブ４６を選択操作することで、訂正処理部８は、図６の訂正画面へ画面を切り替えて表示する。
【００５１】
このようにこの実施形態の文字読取装置によれば、文字認識結果に応じて各帳票（ページ）を階層化して訂正画面にしおりウィンドウを表示すると共に、しおりウィンドウには、文字認識不能の文字があるファイルとその上位のフォルダを赤色で表示することで、目的帳票を視覚的に簡単に探し出すことができる。
また、訂正画面に、文字認識結果のファイルをサムネイルの形態で表示すると共に、文字認識不能の文字があるファイルを赤色で表示することで、目的帳票を視覚的に簡単に探し出すことができる。
さらに、訂正画面に表示するしおりウィンドウとページウィンドウとをタブ４６，４７で切り替え可能にしたことで、最上位から最下位のフォルダまでをしおりウィンドウでたどり、最下位のフォルダの中身については、ページウィンドウに切り替えてサムネイル一覧から選択する等といった操作ができ、このように両方のウィンドウを併用することで目的帳票に最短時間でたどり着くことができる。この文字読取装置は、章立てされたテキストデータの処理に適している。
【００５２】
なお、本発明は上記実施形態のみに限定されるものではない。上記実施形態では、「？」が付与されていたファイルおよびその上位のフォルダを赤色で表示したが、この他、ファイルおよびフォルダの枠線を太く表示しても良く、本発明は、他のファイルおよびフォルダと視覚的に区別できれば、表示形態に限定されるものではない。
また、上記実施形態では、サムネイルを縦に一列に表示したが、この他、横に一列に表示しても良く、縦横にまとめて表示しても良い。
【図面の簡単な説明】
【００５３】
【図１】本発明の一つの実施形態の文字読取装置の構成を示すブロック図。
【図２】図１の文字読取装置のバッチ管理テーブルの内容を示す図。
【図３】図１の文字読取装置の子バッチ管理テーブルの内容を示す図。
【図４】図１の文字読取装置の帳票管理テーブルの内容を示す図。
【図５】この文字読取装置の動作を示すフローチャート。
【図６】訂正画面の一例を示す図。
【図７】訂正画面の一例を示す図。
【符号の説明】
【００５４】
１…入力部、２…メモリ、３…文字領域処理部、４…文字認識部、５…辞書、６…データベース、７…印字部、８…訂正処理部、９…表示部、１０…制御部、４０…数量欄、４２，４１…フォルダ、４３，４４…ファイル、４５…ポインタ、４６，４７…タブ、４７…タブ、５１…サムネイル、５２…ホップアップ表示画面、６１…帳票イメージ、６２…テキストデータ、６３，６４…フォルダ、６５…バッチ管理テーブル、６５…バッチ管理テーブル、６６…子バッチ管理テーブル、６７…帳票管理テーブル。
【図１】
2006106905.tif 000003
【図２】
2006106905.tif 000004
【図３】
2006106905.tif 000005
【図４】
2006106905.tif 000006
【図５】
2006106905.tif 000007
【図６】
2006106905.tif 000008
【図７】
2006106905.tif 000009